(57)【要約】【課題】第１記録層から第２記録層へのフォーカスジャンプを行うための球面収差の調整値を最適な値に精度よく設定することが可能な光ディスク装置を提供する。【解決手段】この光ディスク装置１００は、記録層Ｌ０および記録層Ｌ１を有する光ディスク２００に光を照射し、光ディスク２００によって反射された光を検出する光ピックアップ１と、記録層Ｌ０から記録層Ｌ１へフォーカスジャンプする制御を行う制御部８とを備える。そして、制御部８は、記録層Ｌ０に対応する光ピックアップ１のＢＥＸ値Ｂ０と記録層Ｌ１に対応する光ピックアップ１のＢＥＸ値Ｂ１とにおける記録層Ｌ０および記録層Ｌ１のＦＥ信号の振幅をそれぞれ測定するとともに、測定した記録層Ｌ０および記録層Ｌ１のＦＥ信号の振幅に基づいて、フォーカスジャンプに用いる光ピックアップ１のＢＥＸ値Ｂ２を算出するように構成されている。【選択図】図１
2014154179.tif 000002
【特許請求の範囲】
【請求項１】
第１記録層および第２記録層を有する光ディスクに光を照射し、前記光ディスクによって反射された光を検出する光ピックアップと、
前記第１記録層から前記第２記録層へフォーカスジャンプする制御を行う制御部とを備え、
前記制御部は、前記第１記録層に対応する前記光ピックアップの球面収差の第１調整値と前記第２記録層に対応する前記光ピックアップの球面収差の第２調整値とにおける前記第１記録層および前記第２記録層のフォーカスエラー信号の振幅をそれぞれ測定するとともに、前記第１調整値および前記第２調整値において測定した前記第１記録層および前記第２記録層のフォーカスエラー信号の振幅に基づいて、前記第１記録層から前記第２記録層へのフォーカスジャンプに用いる前記光ピックアップの球面収差の第３調整値を算出するように構成されている、光ディスク装置。
【請求項２】
前記制御部は、前記第１調整値および前記第２調整値の間でフォーカスエラー信号の振幅が直線的に変化すると近似するとともに、前記光ピックアップの球面収差の調整値に対する前記第１記録層のフォーカスエラー信号の振幅の関係と、前記光ピックアップの球面収差の調整値に対する前記第２記録層のフォーカスエラー信号の振幅の関係とに基づいて、前記第３調整値を算出するように構成されている、請求項１に記載の光ディスク装置。
【請求項３】
前記制御部は、前記第１記録層のフォーカスエラー信号の振幅と前記第２記録層のフォーカスエラー信号の振幅とが略同じになるように前記第３調整値を算出するように構成されている、請求項１または２に記載の光ディスク装置。
【請求項４】
前記制御部は、算出した前記第３調整値における前記第１記録層および前記第２記録層のフォーカスエラー信号の振幅をそれぞれ測定し、フォーカスエラー信号の振幅が所定の閾値以下である場合に、前記第１調整値および前記第２調整値における前記第１記録層および前記第２記録層のフォーカスエラー信号の振幅の測定を再度行い、前記第３調整値を再度算出するように構成されている、請求項１〜３のいずれか１項に記載の光ディスク装置。
【請求項５】
前記制御部は、前記第１記録層から前記第２記録層へフォーカスジャンプを行う場合に、前記光ピックアップの球面収差の調整値を、前記第１調整値から前記第３調整値にして前記フォーカスジャンプを行ってから、前記第２記録層に対応する前記第２調整値にするように構成されている、請求項１〜４のいずれか１項に記載の光ディスク装置。
【請求項６】
前記制御部は、前記光ディスクが前記第１記録層および前記第２記録層を含む３層以上の記録層を有する場合に、前記第１記録層から隣接する前記第２記録層へフォーカスジャンプを行う場合に、前記第３調整値を用いてフォーカスジャンプを行うように構成されている、請求項１〜５のいずれか１項に記載の光ディスク装置。
【発明の詳細な説明】
【技術分野】
【０００１】
この発明は、光ディスク装置に関し、特に、光ピックアップを備えた光ディスク装置に関する。
【背景技術】
【０００２】
従来、光ピックアップを備えた光ディスク装置が知られている（たとえば、特許文献１参照）。
【０００３】
上記特許文献１には、第１記録層および第２記録層を有する光ディスクに光を照射し、光ディスクによって反射された光を検出する光ピックアップと、第１記録層から第２記録層へフォーカスジャンプする制御を行うシステムコントローラ（制御部）とを備えるディスクドライブ装置（光ディスク装置）が開示されている。このディスクドライブ装置において、システムコントローラは、第１記録層と第２記録層との中間位置に対応する球面収差の調整値を用いて第１記録層から第２記録層へのフォーカスジャンプを行うように構成されている。
【先行技術文献】
【特許文献】
【０００４】
【特許文献１】特開２００８−１２３５６６号公報
【発明の概要】
【発明が解決しようとする課題】
【０００５】
しかしながら、上記特許文献１のディスクドライブ装置（光ディスク装置）では、第１記録層と第２記録層との中間位置に対応する球面収差の調整値を用いて第１記録層から第２記録層へのフォーカスジャンプを行うため、第１記録層のフォーカスエラー信号の振幅と第２記録層のフォーカスエラー信号の振幅との差が小さくならない場合があり、第１記録層から第２記録層へのフォーカスジャンプを行うための球面収差の調整値を最適な値に精度よく設定することが困難であるという問題点がある。
【０００６】
この発明は、上記のような課題を解決するためになされたものであり、この発明の１つの目的は、第１記録層から第２記録層へのフォーカスジャンプを行うための球面収差の調整値を最適な値に精度よく設定することが可能な光ディスク装置を提供することである。
【課題を解決するための手段】
【０００７】
この発明の一の局面による光ディスク装置は、第１記録層および第２記録層を有する光ディスクに光を照射し、光ディスクによって反射された光を検出する光ピックアップと、第１記録層から第２記録層へフォーカスジャンプする制御を行う制御部とを備え、制御部は、第１記録層に対応する光ピックアップの球面収差の第１調整値と第２記録層に対応する光ピックアップの球面収差の第２調整値とにおける第１記録層および第２記録層のフォーカスエラー信号の振幅をそれぞれ測定するとともに、第１調整値および第２調整値において測定した第１記録層および第２記録層のフォーカスエラー信号の振幅に基づいて、第１記録層から第２記録層へのフォーカスジャンプに用いる光ピックアップの球面収差の第３調整値を算出するように構成されている。
【０００８】
この発明の一の局面による光ディスク装置では、上記のように、第１記録層に対応する光ピックアップの球面収差の第１調整値と第２記録層に対応する光ピックアップの球面収差の第２調整値とにおける第１記録層および第２記録層のフォーカスエラー信号の振幅をそれぞれ測定するとともに、第１調整値および第２調整値において測定した第１記録層および第２記録層のフォーカスエラー信号の振幅に基づいて、第１記録層から第２記録層へのフォーカスジャンプに用いる光ピックアップの球面収差の第３調整値を算出する制御部を設けることによって、単に第１記録層と第２記録層との中間点に対応する調整値をフォーカスジャンプを行うための球面収差の調整値に設定する場合とは異なり、実際のフォーカスエラー信号の振幅の測定結果に基づいてフォーカスジャンプのための光ピックアップの球面収差の最適値を算出することができるので、第１記録層から第２記録層へのフォーカスジャンプを行うための球面収差の調整値を最適な値に精度よく設定することができる。
【０００９】
上記一の局面による光ディスク装置において、好ましくは、制御部は、第１調整値および第２調整値の間でフォーカスエラー信号の振幅が直線的に変化すると近似するとともに、光ピックアップの球面収差の調整値に対する第１記録層のフォーカスエラー信号の振幅の関係と、光ピックアップの球面収差の調整値に対する第２記録層のフォーカスエラー信号の振幅の関係とに基づいて、第３調整値を算出するように構成されている。このように構成すれば、測定結果を用いて第３調整値を算出する場合にも、直線的に近似された球面収差の調整値に対するフォーカスエラー信号の振幅に基づいて第３調整値を容易に算出することができる。
【００１０】
上記一の局面による光ディスク装置において、好ましくは、制御部は、第１記録層のフォーカスエラー信号の振幅と第２記録層のフォーカスエラー信号の振幅とが略同じになるように第３調整値を算出するように構成されている。このように構成すれば、フォーカスジャンプの前後でフォーカスエラー信号の振幅を略同じにすることができるので、安定してフォーカスジャンプを行うことができる。
【００１１】
上記一の局面による光ディスク装置において、好ましくは、制御部は、算出した第３調整値における第１記録層および第２記録層のフォーカスエラー信号の振幅をそれぞれ測定し、フォーカスエラー信号の振幅が所定の閾値以下である場合に、第１調整値および第２調整値における第１記録層および第２記録層のフォーカスエラー信号の振幅の測定を再度行い、第３調整値を再度算出するように構成されている。このように構成すれば、フォーカスエラー信号の振幅が所定の閾値以下である場合には、再測定してフォーカスエラー信号の振幅を大きくすることができるので、第１記録層から第２記録層へのフォーカスジャンプを行うための球面収差の調整値を最適な値により精度よく設定することができる。
【００１２】
上記一の局面による光ディスク装置において、好ましくは、制御部は、第１記録層から第２記録層へフォーカスジャンプを行う場合に、光ピックアップの球面収差の調整値を、第１調整値から第３調整値にしてフォーカスジャンプを行ってから、第２記録層に対応する第２調整値にするように構成されている。このように構成すれば、フォーカスジャンプ時以外は各記録層に対応する調整値に設定され、フォーカスジャンプ時のみフォーカスジャンプに適した調整値に設定されるので、フォーカスジャンプを安定して行うことができるとともに、フォーカスジャンプの前後の第１記録層および第２記録層において安定して光を検出することができる。
【００１３】
上記一の局面による光ディスク装置において、好ましくは、制御部は、光ディスクが第１記録層および第２記録層を含む３層以上の記録層を有する場合に、第１記録層から隣接する第２記録層へフォーカスジャンプを行う場合に、第３調整値を用いてフォーカスジャンプを行うように構成されている。このように構成すれば、３層以上の記録層を有する光ディスクにおいて、第１記録層から隣接する第２記録層へ安定してフォーカスジャンプを行うことができる。
【発明の効果】
【００１４】
本発明によれば、上記のように、第１記録層から第２記録層へのフォーカスジャンプを行うための球面収差の調整値を最適な値に精度よく設定することができる。
【図面の簡単な説明】
【００１５】
【図１】本発明の一実施形態による光ディスク装置の全体の構成を示した概略図である。
【図２】本発明の一実施形態による光ディスク装置の光ピックアップの構成を示した概略図である。
【図３】本発明の一実施形態による光ディスク装置の対物レンズおよびディスクを示した図である。
【図４】本発明の一実施形態による光ディスク装置のＢＥＸ値が記録層Ｌ０に対応するＢ０の場合の対物レンズ位置とフォーカスエラー信号との関係を示した図である。
【図５】本発明の一実施形態による光ディスク装置のＢＥＸ値が記録層Ｌ１に対応するＢ１の場合の対物レンズ位置とフォーカスエラー信号との関係を示した図である。
【図６】本発明の一実施形態による光ディスク装置のＢＥＸ値がフォーカスジャンプ時に対応するＢ２の場合の対物レンズ位置とフォーカスエラー信号との関係を示した図である。
【図７】本発明の一実施形態による光ディスク装置の制御部によるスピンアップ処理を説明するためのフローチャートである。
【図８】本発明の一実施形態による光ディスク装置のＢＥＸ値とフォーカスエラー信号の振幅との関係を示した図である。
【図９】本発明の一実施形態による光ディスク装置の制御部によるフォーカスジャンプ処理を説明するためのフローチャートである。
【発明を実施するための形態】
【００１６】
以下、本発明の実施形態を図面に基づいて説明する。
【００１７】
図１〜図６および図８を参照して、本発明の一実施形態による光ディスク装置１００の構成について説明する。
【００１８】
本実施形態による光ディスク装置１００は、光ディスク２００としてのＢＤ（ブルーレイディスク）を再生可能に構成されている。具体的には、光ディスク装置１００は、図１に示すように、光ピックアップ１と、ＲＦアンプ２と、再生処理回路３と、出力回路４とを備えている。さらに、光ディスク装置１００には、ドライバ５と、送りモータ６と、スピンドルモータ７と、制御部８とが設けられている。また、光ディスク２００は、２層の記録層Ｌ０およびＬ１（図３参照）を有している。なお、記録層Ｌ０およびＬ１は、それぞれ、本発明の「第１記録層」および「第２記録層」の一例である。
【００１９】
光ピックアップ１は、光ディスク２００にレーザビーム（光）を照射して光ディスク２００によって反射された光を検出することにより、光ディスク２００に記録された各種情報（音声情報や映像情報など）を読み取る機能を有している。また、光ピックアップ１は、ＢＤ用として、波長４０５ｎｍ帯の青色レーザビームを光ディスク２００に照射可能に構成されている。なお、光ピックアップ１の詳細な構成については後述する。
【００２０】
ＲＦアンプ２は、光ピックアップ１により読み取られた各種情報に基づく再生信号を増幅する機能を有している。再生処理回路３は、制御部８を介してＲＦアンプ２により増幅された再生信号を取得し、その再生信号に対して再生のための各種の処理（たとえば、画像処理など）を施すように構成されている。出力回路４は、光ディスク２００に記録された映像および音声をそれぞれ図示しないモニタおよびスピーカにより出力するために、再生処理回路３により処理が施された信号に対してＤ／Ａ変換処理を行うように構成されている。
【００２１】
ドライバ５は、制御部８からの指示に基づいて、送りモータ６およびスピンドルモータ７の動作を制御するように構成されている。また、ドライバ５は、制御部８からの指示に基づいて、光ピックアップ１の内部に設けられた後述のアクチュエータ２０およびＢＥＸ（Ｂｅａｍ  Ｅｘｐａｎｄｅｒ）モータ２１（図２参照）の動作も制御するように構成されている。送りモータ６は、光ピックアップ１を光ディスク２００の半径方向に移動させる機能を有している。スピンドルモータ７は、光ディスク２００を回転させる機能を有している。
【００２２】
制御部８は、光ピックアップ１の内部に設けられた後述の光検出器１９（図２参照）から出力される再生信号に基づいて、フォーカスエラー（ＦＥ）信号およびトラッキングエラー（ＴＥ）信号を生成するように構成されている。また、制御部８は、光ディスク２００の再生時に、ＦＥ信号に基づいてフォーカスサーボ制御を行うとともに、ＴＥ信号に基づいてトラッキングサーボ制御を行うように構成されている。また、制御部８は、光ディスク２００の記録層間のフォーカスジャンプの制御を行うように構成されている。具体的には、制御部８は、光ピックアップ１の対物レンズ１７（図２参照）を移動させて、記録層Ｌ０からＬ１に、または、記録層Ｌ１からＬ０に、フォーカスジャンプを行うように構成されている。
【００２３】
図２に示すように、光ピックアップ１には、光源１１と、シリンドリカルレンズ１２と、ビームスプリッタ１３と、ミラー１４と、１／４波長板１５と、コリメータレンズ１６と、対物レンズ１７と、検出レンズ１８と、光検出器１９と、アクチュエータ２０と、ＢＥＸモータ２１とが設けられている。
【００２４】
光源１１は、ＢＤ用の４０５ｎｍ帯の青色レーザビームを出射可能なＬＤからなる。シリンドリカルレンズ１２は、光源１１から出射されたレーザビームを平行光に変換する機能を有している。ビームスプリッタ１３は、入射されるレーザビームを分離する光分離素子として機能するように構成されている。ビームスプリッタ１３は、シリンドリカルレンズ１２側から到達するレーザビームをミラー１４側に透過させるとともに、ミラー１４側から到達する光ディスク２００による反射光を光検出器１９側に反射するように構成されている。
【００２５】
ミラー１４は、ビームスプリッタ１３側から到達するレーザビームを光ディスク２００側に反射するとともに、光ディスク２００側から到達する光ディスク２００による反射光をビームスプリッタ１３側に反射する。また、ミラー１４は、ビームスプリッタ１３側から到達するレーザビームの光軸に対して４５度傾斜して設けられており、光ディスク２００の記録面に対して略直交する方向にビームスプリッタ１３側から到達するレーザビームを反射するように構成されている。
【００２６】
１／４波長板１５は、直線偏光を円偏光に変換するとともに、円偏光を直線偏光に変換する機能を有している。そして、１／４波長板１５は、ミラー１４側から到達する直線偏光のレーザビームを円偏光に変換してコリメータレンズ１６に導くとともに、光ディスク２００により反射された円偏光のレーザビームを直線偏光に変換してミラー１４に導く。
【００２７】
コリメータレンズ１６は、ＢＥＸモータ２１によって光軸方向（光ディスク２００の記録面に対して直交する方向）に移動可能に構成されている。コリメータレンズ１６が光軸方向に移動される（ＢＥＸ値を変動させる）ことにより、コリメータレンズ１６を透過したレーザビームの状態が発散光となったり収束光となったりする。これにより、ＢＥＸ値が調整されて光ピックアップ１の球面収差の調整が行われる。
【００２８】
対物レンズ１７は、コリメータレンズ１６側から到達するレーザビームを光ディスク２００の記録面上に集光させる機能を有している。また、対物レンズ１７は、アクチュエータ２０により、光ディスク２００の記録面に直交する方向および光ディスク２００の半径方向に移動可能に構成されており、フォーカスサーボ制御およびトラッキングサーボ制御によりその位置が移動される。また、対物レンズ１７は、アクチュエータ２０により、傾き（チルト）を変更可能に構成されている。これにより、対物レンズ１７のチルト調整が行われる。
【００２９】
検出レンズ１８には、光ディスク２００で反射された反射光が、対物レンズ１７、コリメータレンズ１６、１／４波長板１５、ミラー１４およびビームスプリッタ１３を介して到達する。そして、検出レンズ１８は、光検出器１９上に設けられる受光素子上に光ディスク２００による反射光を集光させる。
【００３０】
光検出器１９は、フォトダイオードなどの受光素子を用いて受光した光情報を電気信号に変換するとともに、その電気信号を制御部８（図１参照）に出力する機能を有している。
【００３１】
アクチュエータ２０は、ドライバ５（図１参照）で生成された対物レンズ駆動信号に基づいて、対物レンズ１７を光ディスク２００の半径方向に移動させるように構成されている。これにより、トラッキング動作が実行される。また、アクチュエータ２０は、ドライバ５で生成された対物レンズ駆動信号に基づいて、対物レンズ１７を光ディスク２００の記録面に対して直交する方向に移動させるように構成されている。これにより、フォーカス動作が実行される。また、アクチュエータ２０は、ドライバ５で生成された対物レンズ駆動信号に基づいて、対物レンズ１７の傾き（チルト）を変更させるように構成されている。
【００３２】
光検出器１９から制御部８に出力された電気信号は、フォーカスエラー（ＦＥ）信号およびトラッキングエラー（ＴＥ）信号を生成するために用いられる。制御部８は、光検出器１９からの電気信号を用いて演算処理を行ってＦＥ信号およびＴＥ信号を生成する。具体的には、制御部８は、光検出器１９からの電気信号を用いて、非点収差法によりＦＥ信号およびＴＥ信号をそれぞれ生成する。
【００３３】
ここで、本実施形態では、制御部８（図１参照）は、記録層Ｌ０に対応する光ピックアップ１のＢＥＸ値Ｂ０および記録層Ｌ１に対応する光ピックアップ１のＢＥＸ値Ｂ１における記録層Ｌ０およびＬ１のＦＥ信号の振幅をそれぞれ測定するように構成されている。具体的には、制御部８は、図４に示すように、ＢＥＸ値をＢ０に設定した上で、対物レンズ１７を移動させて、記録層Ｌ０およびＬ１のＦＥ信号の振幅をそれぞれ測定する。たとえば、図４に示すように、記録層Ｌ０のＦＥ信号の振幅がＶ００、記録層Ｌ１のＦＥ信号の振幅がＶ００より小さいＶ０１と測定される。また、制御部８は、図５に示すように、ＢＥＸ値をＢ１に設定した上で、対物レンズ１７を移動させて、記録層Ｌ０およびＬ１のＦＥ信号の振幅をそれぞれ測定する。たとえば、図５に示すように、記録層Ｌ０のＦＥ信号の振幅がＶ１０、記録層Ｌ１のＦＥ信号の振幅がＶ１０より大きいＶ１１と測定される。なお、ＢＥＸ値Ｂ０およびＢＥＸ値Ｂ１は、それぞれ、本発明の「第１調整値」および「第２調整値」の一例である。
【００３４】
また、制御部８は、ＢＥＸ値Ｂ０およびＢＥＸ値Ｂ１において測定した記録層Ｌ０およびＬ１のＦＥ信号の振幅に基づいて、記録層Ｌ０および記録層Ｌ１の間のフォーカスジャンプに用いる光ピックアップ１のＢＥＸ値Ｂ２を算出するように構成されている。具体的には、制御部８は、図８に示すように、ＢＥＸ値Ｂ０およびＢ１の間でＦＥ信号の振幅が直線的に変化すると近似するとともに、光ピックアップ１のＢＥＸ値に対する記録層Ｌ０のＦＥ信号の振幅の関係と、光ピックアップ１のＢＥＸ値に対する記録層Ｌ１のＦＥ信号の振幅の関係とに基づいて、ＢＥＸ値Ｂ２を算出するように構成されている。なお、ＢＥＸ値Ｂ２は、本発明の「第３調整値」の一例である。
【００３５】
たとえば、図８に示す例の場合、記録層Ｌ０のＢＥＸ値に対するＦＥ信号の振幅Ｖの関係式は、Ｖ＝（Ｖ１０−Ｖ００）×（ＢＥＸ値−Ｂ０）／（Ｂ１−Ｂ０）＋Ｖ００と表される。また、記録層Ｌ１のＢＥＸ値に対するＦＥ信号の振幅Ｖの関係式は、Ｖ＝（Ｖ１１−Ｖ０１）×（ＢＥＸ値−Ｂ０）／（Ｂ１−Ｂ０）＋Ｖ０１と表される。そして、制御部８は、これらの関係式の交点に対応するＢＥＸ値をＢＥＸ値Ｂ２として算出する。つまり、制御部８は、記録層Ｌ０のＦＥ信号の振幅と記録層Ｌ１のＦＥ信号の振幅とが略同じになるようにＢＥＸ値Ｂ２を算出するように構成されている。
【００３６】
また、制御部８は、図６に示すように、算出したＢＥＸ値Ｂ２における記録層Ｌ０およびＬ１のＦＥ信号の振幅をそれぞれ測定し、ＦＥ信号の振幅が所定の閾値Ｖｔ以下である場合に、ＢＥＸ値Ｂ０およびＢ１における記録層Ｌ０および記録層Ｌ１のＦＥ信号の振幅の測定を再度行い、ＢＥＸ値Ｂ２を再度算出するように構成されている。たとえば、図６に示す例の場合、記録層Ｌ０のＦＥ信号の振幅は、閾値Ｖｔより大きいＶ２０であり、記録層Ｌ１のＦＥ信号の振幅は、閾値Ｖｔより大きいＶ２１である。この場合には、ＦＥ信号の振幅の再測定は行われない。なお、閾値Ｖｔは、フォーカスジャンプ時のキックパルスおよびブレーキパルスを出すためにＦＥ信号の振幅の閾値として設定されている。
【００３７】
次に、図７を参照して、本実施形態の光ディスク装置１００の制御部８によるスピンアップ処理について説明する。この処理は、光ディスク２００が光ディスク装置１００に挿入された際に実行される。
【００３８】
図７のステップＳ１において、制御部８は、光ディスク２００の層数Ｎを取得する。ここでは、制御部８は、光ディスク２００が２層の記録層Ｌ０およびＬ１（図３参照）を有し、層数Ｎが２であるという情報を取得する。制御部８は、ステップＳ２において、光ディスク２００が多層ディスクであるか否かを判断する。単層ディスクであれば、制御部８は、スピンアップ処理を終了する。多層ディスクであれば、ステップＳ３に進み、ｉ＝０とする。
【００３９】
制御部８は、ステップＳ４において、ｉが層数Ｎ未満であるか否かを判断する。すなわち、存在する全ての記録層について、以下のステップＳ５〜ステップＳ１０の処理を終えたか否かを判断する。ｉが層数Ｎ未満であれば、ステップＳ５に進み、ｉが層数Ｎ以上であれば、ステップＳ１１に進む。制御部８は、ステップＳ５において、ＢＥＸ値をｉ層のＢＥＸ値に設定する。たとえば、制御部８は、ｉ＝０の場合、ＢＥＸ値を記録層Ｌ０に対応するＢＥＸ値Ｂ０に設定し、ｉ＝１の場合、ＢＥＸ値を記録層Ｌ１に対応するＢＥＸ値Ｂ１に設定する。
【００４０】
制御部８は、ステップＳ６において、ＦＥ信号のＳ字検出時間を計測する。具体的には、制御部８は、最初のＳ字は表面反射であるため表面のＳ字（図４および図５参照）を検出した後、ＦＥ信号のＳ字検出時間を計測開始する。制御部８は、ステップＳ７において、ＦＥ信号の振幅を取得する。つまり、制御部８は、ＦＥ信号のＳ字を検出して記録層Ｌ０におけるＦＥ信号の振幅および記録層Ｌ１におけるＦＥ信号の振幅を取得する。この際、制御部８は、ＦＥ信号のＳ字を検出しやすくするためにサーチ速度を調整する制御を行う。具体的には、制御部８は、対物レンズ１７を移動する速度を調整する制御を行う。
【００４１】
制御部８は、ステップＳ８において、Ｓ字検出時間が所定の時間を過ぎたか否かを判断する。所定の時間を過ぎていなければ、ステップＳ７に戻る。所定の時間を過ぎていれば、ステップＳ９において、制御部８は、測定した記録層Ｌ０およびＬ１のＦＥ信号の振幅をそれぞれ記憶する。制御部８は、ステップＳ１０において、ｉ＝ｉ＋１として、ステップＳ４に戻る。
【００４２】
ステップＳ４においてｉが層数Ｎ以上である（全ての記録層において測定が終了した）と判断したら、ステップＳ１１において、制御部８は、ＢＥＸ値および測定したＦＥ信号の振幅からフォーカスジャンプ時に最適なＢＥＸ値Ｂ２を算出する。
【００４３】
制御部８は、ステップＳ１２において、図６に示すように、算出したフォーカスジャンプ時に最適なＢＥＸ値Ｂ２におけるＦＥ信号のＳ字検出測定を行う。制御部８は、ステップＳ１３において、ＦＥ信号の振幅が閾値Ｖｔ以下であるか否かを判断する。閾値Ｖｔより大きければ、制御部８は、スピンアップ処理を終了する。閾値Ｖｔ以下であれば、制御部８は、ステップＳ３に戻り、ＢＥＸ値Ｂ０およびＢ１における記録層Ｌ０および記録層Ｌ１のＦＥ信号の振幅の再測定を行う。
【００４４】
次に、図９を参照して、本実施形態の光ディスク装置１００の制御部８によるフォーカスジャンプ処理について説明する。ここでは、記録層Ｌ０から記録層Ｌ１にフォーカスジャンプする場合について説明する。
【００４５】
図９のステップＳ２１において、制御部８は、スピンアップ処理時に算出したフォーカスジャンプ時に最適なＢＥＸ値Ｂ２をＢＥＸ値として設定する。具体的には、制御部８は、ＢＥＸ値をフォーカスジャンプ前の記録層Ｌ０に対応するＢＥＸ値Ｂ０からフォーカスジャンプ時のＢＥＸ値Ｂ２に変更する。制御部８は、ステップＳ２２において、記録層Ｌ０から記録層Ｌ１にフォーカスジャンプを行う。フォーカスジャンプ後、制御部８は、ステップＳ２３において、ＢＥＸ値を現在の記録層Ｌ１に対応するＢＥＸ値Ｂ１に設定する。その後、制御部８は、フォーカスジャンプ処理を終了する。なお、記録層Ｌ１から記録層Ｌ０にフォーカスジャンプする場合も同様の処理が行われる。
【００４６】
本実施形態では、上記のように、記録層Ｌ０に対応する光ピックアップ１のＢＥＸ値Ｂ０と記録層Ｌ１に対応する光ピックアップ１のＢＥＸ値Ｂ１とにおける記録層Ｌ０および記録層Ｌ１のＦＥ信号の振幅をそれぞれ測定するとともに、ＢＥＸ値Ｂ０およびＢＥＸ値Ｂ１において測定した記録層Ｌ０および記録層Ｌ１のＦＥ信号の振幅に基づいて、記録層Ｌ０から記録層Ｌ１へのフォーカスジャンプに用いる光ピックアップ１のＢＥＸ値Ｂ２を算出する制御部８を設けることによって、単に記録層Ｌ０と記録層Ｌ１との中間点に対応するＢＥＸ値をフォーカスジャンプを行うためのＢＥＸ値に設定する場合とは異なり、実際のＦＥ信号の振幅の測定結果に基づいてフォーカスジャンプのための光ピックアップ１の最適なＢＥＸ値Ｂ２を算出することができるので、記録層Ｌ０から記録層Ｌ１へのフォーカスジャンプを行うためのＢＥＸ値を最適な値に精度よく設定することができる。
【００４７】
また、本実施形態では、制御部８を、ＢＥＸ値Ｂ０およびＢＥＸ値Ｂ１の間でＦＥ信号の振幅が直線的に変化すると近似するとともに、光ピックアップ１のＢＥＸ値に対する記録層Ｌ０のＦＥ信号の振幅の関係と、光ピックアップのＢＥＸ値に対する記録層Ｌ１のＦＥ信号の振幅の関係とに基づいて、ＢＥＸ値Ｂ２を算出するように構成する。これにより、測定結果を用いてＢＥＸ値Ｂ２を算出する場合にも、直線的に近似されたＢＥＸ値に対するＦＥ信号の振幅に基づいてＢＥＸ値Ｂ２を容易に算出することができる。
【００４８】
また、本実施形態では、制御部８を、記録層Ｌ０のＦＥ信号の振幅と記録層Ｌ１のＦＥ信号の振幅とが略同じになるようにＢＥＸ値Ｂ２を算出するように構成する。これにより、フォーカスジャンプの前後でＦＥ信号の振幅を略同じにすることができるので、安定してフォーカスジャンプを行うことができる。
【００４９】
また、本実施形態では、制御部８を、算出したＢＥＸ値Ｂ２における記録層Ｌ０および記録層Ｌ１のＦＥ信号の振幅をそれぞれ測定し、ＦＥ信号の振幅が所定の閾値Ｖｔ以下である場合に、ＢＥＸ値Ｂ０およびＢＥＸ値Ｂ１における記録層Ｌ０および記録層Ｌ１のＦＥ信号の振幅の測定を再度行い、ＢＥＸ値Ｂ２を再度算出するように構成する。これにより、ＦＥ信号の振幅が所定の閾値Ｖｔ以下である場合には、再測定してＦＥ信号の振幅を大きくすることができるので、記録層Ｌ０から記録層Ｌ１へのフォーカスジャンプを行うためのＢＥＸ値を最適な値により精度よく設定することができる。
【００５０】
また、本実施形態では、制御部８を、記録層Ｌ０から記録層Ｌ１へフォーカスジャンプを行う場合に、ＢＥＸ値を、ＢＥＸ値Ｂ０からＢＥＸ値Ｂ２にしてフォーカスジャンプを行ってから、記録層Ｌ１に対応するＢＥＸ値Ｂ１にするように構成する。これにより、フォーカスジャンプ時以外は各記録層に対応するＢＥＸ値に設定され、フォーカスジャンプ時のみフォーカスジャンプに適したＢＥＸ値に設定されるので、フォーカスジャンプを安定して行うことができるとともに、フォーカスジャンプの前後の記録層Ｌ０および記録層Ｌ１において安定して光を検出することができる。
【００５１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５２】
たとえば、上記実施形態では、本発明を、ＢＤに対応した光ディスク装置に適用する例を示したが、本発明はこれに限られない。本発明を、ＢＤ以外の多層のディスクに対応した光ディスク装置に適用してもよい。また、ＢＤおよびＢＤ以外の複数の種類の光ディスクに対応した光ディスク装置に本発明を適用してもよい。
【００５３】
また、上記実施形態では、光ディスクが２層の記録層を有する例を示したが、本発明はこれに限られない。本発明では、光ディスクが第１記録層および第２記録層を含む３層以上の記録層を有していてもよい。この場合、制御部は、第１記録層から隣接する第２記録層へフォーカスジャンプを行う場合に、第３調整値を用いてフォーカスジャンプを行うように構成してもよい。
【００５４】
また、上記実施形態では、ＢＥＸ値Ｂ０（第１調整値）およびＢＥＸ値Ｂ１（第２調整値）の間でフォーカスエラー信号の振幅が直線的に変化すると近似する構成の例を示したが、本発明はこれに限られない。本発明では、第１調整値および第２調整値の間でフォーカスエラー信号の振幅が直線的以外に変化すると近似してもよい。たとえば、２次以上の高次の近似をしてもよい。
【００５５】
また、上記実施形態では、ＢＥＸ値Ｂ０（第１調整値）およびＢＥＸ値Ｂ１（第２調整値）において記録層Ｌ０（第１記録層）および記録層Ｌ１（第２記録層）のフォーカスエラー信号の振幅を測定する構成の例を示したが、本発明はこれに限られない。本発明では、第１調整値および第２調整値に加えて他の調整値において第１記録層および第２記録層のフォーカスエラー信号の振幅を計測してもよい。
【００５６】
また、上記実施形態では、ＢＥＸ値（球面収差の調整値）に対する記録層Ｌ０（第１記録層）のフォーカスエラー信号の振幅の関係と、ＢＥＸ値（球面収差の調整値）に対する記録層Ｌ１（第２記録層）のフォーカスエラー信号の振幅の関係とに基づいて、ＢＥＸ値Ｂ２（第３調整値）を算出する構成の例を示したが、本発明はこれに限られない。本発明では、たとえば、各記録層の球面収差の調整値差と、同じ記録層でのフォーカスエラー信号の振幅差とから倍率換算をしてフォーカスエラー信号の振幅差の平均となる調整値を第３調整値として算出してもよい。
【００５７】
また、上記実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００５８】
１  光ピックアップ
８  制御部
１００  光ディスク装置
２００  光ディスク
Ｌ０  第１記録層
Ｌ１  第２記録層
【図１】
2014154179.tif 000003
【図２】
2014154179.tif 000004
【図３】
2014154179.tif 000005
【図４】
2014154179.tif 000006
【図５】
2014154179.tif 000007
【図６】
2014154179.tif 000008
【図７】
2014154179.tif 000009
【図８】
2014154179.tif 000010
【図９】
2014154179.tif 000011